(57)【要約】【課題】雨水取水管を利用する第１のタイプの取水手法と雨水受け板を利用する第２のタイプの取水手法のいずれの手法にも容易に対応可能な雨水取水継手を提供する。【解決手段】雨水取水継手１を、雨水が流下する竪樋間に嵌合接続される継手本体２、継手本体２の内部に設けられた集水部６、継手本体２の集水部６と連通し、継手本体２の外周から水平方向に延びるように形成された雨水取水管３、雨水取水管３の下方に配置され、継手本体２に対して着脱自在に取り付けることができ、雨水取水管３の先端から取り出された雨水を下方に導く雨水受け板８より構成する。これにより、雨水取水管３からの取水と雨水受け板８からの取水のいずれも容易に選択して行えるようになる。【選択図】図１
2008156950.tif 000002
【特許請求の範囲】
【請求項１】
雨水が流下する竪樋間に嵌合接続される継手本体、継手本体の内部に設けられた集水部、継手本体内の集水部と連通し、継手本体の外周から水平方向に延びるように形成された雨水取水管、雨水取水管の下方に配置され、継手本体に対して着脱自在に取り付けることができ、雨水取水管の先端から取り出された雨水を下方に導く雨水受け板を備え、雨水取水管からの取水と雨水受け板からの取水を選択して行えることを特徴とする雨水取水継手。
【請求項２】
雨水受け板の一方の端部に受け板止め部が形成されるとともに、継手本体の外周で雨水取水管の下方位置に雨水受け板の受け板止め部と嵌合する受け部が形成され、雨水受け板の受け板止め部と継手本体の受け部とを、雨水取水管の少なくとも根元部の周囲に緩衝部材を介在させて嵌合させることにより、雨水受け板が継手本体に対して着脱自在に取り付けられることを特徴とする請求項１に記載の雨水取水継手。
【請求項３】
緩衝部材が、環状の弾性部材であることを特徴とする請求項１又は２に記載の雨水取水継手。
【請求項４】
緩衝部材が、雨水取水管の外周全体に被覆して形成された軟質材料であることを特徴とする請求項１又は２に記載の雨水取水継手。
【請求項５】
雨水取水管を挟み込むように雨水受け板に取り付けられるカバーを備え、雨水受け板の長手方向両側部とカバーの長手方向両側部の両方又はいずれか一方に、カバーを雨水受け板に取り付けるための取付部が形成されていることを特徴とする請求項１ないし４いずれか一項に記載の雨水取水継手。
【発明の詳細な説明】
【技術分野】
【０００１】
本発明は、雨水を有効利用するために、竪樋を流下する雨水を途中で外部に取り出すための雨水取水継手に関する。
【背景技術】
【０００２】
近年の水不足や地球環境保全意識の高まりなどを背景として、雨水を資源として有効利用しようという考え方が認識されており、家屋などの雨水を流下させる竪樋の途中に雨水取水継手を取り付けた構造が提案され、利用されている。雨水が流下する竪樋より雨水を取り出すための手法としては大きく分けて２のタイプのものがある。
【０００３】
まず、第１のタイプの手法に用いられる雨水取水継手について、特許文献１に記載された雨水取水継手を例に説明する。このタイプの雨水取水継手は、雨水取水管を継手本体に形成するか、取り付け、ホースを雨水取水管の先端に差し込んで取水を行い、箱状のタンクなどに水を貯めるために使用される。
【０００４】
図７（ａ）及び（ｂ）は、それぞれ特許文献１の雨水取水継手の構造を示す縦断面図及び横断面図である。この雨水取水継手３１は、継手本体３２の適所に円形の開口３３が形成され、この開口３３を利用して取水部材３４が取り付けられている。取水部材３４は、継手本体３２の内部に入り込み上部が開口した漏斗状の集水部３５と、継手本体３２に形成された開口３３を挿通して外部に水平に突出した水平管部３６と、中央に雨水流路３７が形成され、外部側の先端にホースが取り付けられるようになっている取水ニップル３８より構成され、取付部材３９により継手本体３２に取り付けられる。取付部材３９は、横断面が半円状で継手本体３２の長さ方向に延び、継手本体３２の外周形状に倣った内周形状を有している。取付部材３９の中央には円形の開口４０が形成され、この開口４０を取水部材３４が挿通している。
【０００５】
この雨水取水継手３１によれば、使用時には、取水部材３４の取水ニップル３８に不図示のホースが取り付けられ、流下する雨水は漏斗状の集水部３５の開口より取水部材３４に取り込まれ、雨水流路３７を通ってホースに導かれる。そしてホースの先端は、たとえば、蛇口を備えた箱状のタンクに接続され、雨水が貯められる。そして必要に応じて蛇口より雨水を使用できるようになっている。
【０００６】
次に、第２のタイプの手法に用いられる雨水取水継手について、特許文献２に記載された雨水取水継手を例に説明する。このタイプの雨水取水継手は、湾曲形状の細長い舌状の雨水受け板を継手本体に取り付け、たとえばバケツや庭に置かれた壷状のタンクなどに雨水を貯めるために使用されるものである。
【０００７】
図８（ａ）及び（ｂ）は、それぞれ特許文献２の雨水取水継手の構造を示す分解斜視図及び縦断面図である。この雨水取水継手４１は、継手本体４２の適所に開口４３が形成され、この開口４３を利用して取水部材４４が取り付けられている。取水部材４４は、継手本体４２の内部に入り込み断面が半円形状で細長い舌状の雨水受け板４５と、開口４３より上側で継手本体４２の内部に取り付けられた水寄せ部材４６と、継手本体４２の開口４３の両側に形成された回動孔４７、雨水受け板４５の長手方向両側部において回動孔４７と対応する位置に設けられた回動孔４８、及び回動孔４７と回動孔４８を挿通する回動ピン４９よりなる回動部５０から構成される。雨水受け板４５は回動部５０により回動自在となっている。そして、雨水受け板４５には不図示の係合具が設けられ、不使用時には、雨水受け板４５を回動させることにより、継手本体４２の外周で開口４３の上部に設けられた係合具５１と係合し、通常の竪樋の形態を呈するようになっている。
【０００８】
この雨水取水継手４１によれば、使用時には、雨水受け板４５が図８（ｂ）の状態とされ、竪樋を流下する雨水は水寄せ部材４６により中央に集められて雨水受け板４５の流路に導かれ、ゆるやかな傾斜の流路を通って図８（ｂ）のように外側端部よりバケツや壷状のタンクなどに貯められる。そして、必要なときに貯まった雨水が使用される。また、不使用時には、雨水受け板４５は回動部５０を軸に回動し、不図示の係止具が、継手本体４２に設けられた係合具５１と係合し、雨水受け板４５は通常の竪樋の一部となる。
【特許文献１】実用新案登録第３０６５６６９号公報
【特許文献２】特開２０００−３２８７４１号公報
【発明の開示】
【発明が解決しようとする課題】
【０００９】
しかしながら、上記従来技術では、雨水利用のために竪樋から雨水を取り出す手法は２つのタイプのものがあり、それぞれの手法を用いる場合で雨水取水継手の形態が異なっており、別の手法を利用したい場合には、その取水のための部材を取り替えなければならないが、その取り替えは困難であった。
【００１０】
本発明は、以上の通りの事情に鑑みてなされたもので、雨水取水管を利用する第１のタイプの取水手法と雨水受け板を利用する第２のタイプの取水手法のいずれの手法にも容易に対応可能な雨水取水継手を提供することを課題としている。
【課題を解決するための手段】
【００１１】
本発明の雨水取水継手は、上記の課題を解決するために、以下のことを特徴としている。
【００１２】
第１に、雨水が流下する竪樋間に嵌合接続される継手本体、継手本体の内部に設けられた集水部、継手本体の集水部と連通し、継手本体の外周から水平方向に延びるように形成された雨水取水管、雨水取水管の下方に配置され、継手本体に対して着脱自在に取り付けることができ、雨水取水管の先端から取り出された雨水を下方に導く雨水受け板を備え、雨水取水管からの取水と雨水受け板からの取水を選択して行えることを特徴とする。
【００１３】
第２に、上記第１の発明において、雨水受け板の一方の端部に受け板止め部が形成されるとともに、継手本体の外周で雨水取水管の下方位置に雨水受け板の受け板止め部と嵌合する受け部が形成され、雨水受け板の受け板止め部と継手本体の受け部とが、雨水取水管の少なくとも根元部の周囲に緩衝部材を介在させて嵌合することにより、雨水受け板が継手本体に対して着脱自在に取り付けられることを特徴とする。
【００１４】
第３に、上記第１又は第２の発明において、緩衝部材が、環状の弾性部材であることを特徴とする。
【００１５】
第４に、上記第１又は第２の発明において、緩衝部材が、雨水取水管の外周全体に被覆して形成された軟質材料であることを特徴とする。
【００１６】
第５に、上記第１ないし第４いずれかの発明において、雨水取水管を挟み込むように雨水受け板に取り付けられるカバーを備え、雨水受け板の長手方向両側部とカバーの長手方向両側部の両方又はいずれか一方に、カバーを雨水受け板に取り付けるための取付部が形成されていることを特徴とする。
【発明の効果】
【００１７】
請求項１の発明によれば、竪樋の途中から雨水を取水して利用する場合において、雨水取水管を利用する第１のタイプの取水手法と雨水受け板を利用する第２のタイプの取水手法のいずれの手法にも容易に対応することが可能となる。
【００１８】
請求項２の発明によれば、雨水受け板の受け板止め部と継手本体の受け部とを緩衝部材を介在させて嵌合させるという簡易な手法で、雨水受け板の継手本体への取り付けができるため、上記の発明の効果に加え、雨水受け板の継手本体への着脱がより容易に行え、且つ緩衝部材により雨水受け板の継手本体への固定が安定して行えるという利点がある。
【００１９】
請求項３の発明によれば、緩衝部材として環状の弾性部材を用いるため、上記の発明の効果に加え、簡易な手法で雨水受け板の取り付け、固定の安定化を図れることができる。
【００２０】
請求項４の発明によれば、緩衝部材として軟質材料を雨水取水管の外周全体に被覆して形成されたものを用いるため、上記の発明の効果に加え、ホースを接続した手法を用いる際に、ホース接続を確実に行うことができる利点がある。
【００２１】
請求項５の発明によれば、雨水受け板にカバーを取り付けるため、上記の発明の効果に加え、雨水取り出し部からの水が飛散せず、雨水を雨水受け板の流路に沿ってスムーズに流すことができる利点がある。
【発明を実施するための最良の形態】
【００２２】
本発明の実施の形態について説明する。
【００２３】
図１は、本発明の一実施形態に係る雨水取水継手で雨水受け板を取り付けた状態を示す縦断面図、図２は、図１の斜視図、図３は、図１のＡ−Ａ線断面図、図４は、図１のＢ−Ｂ線断面図である。
【００２４】
本実施形態の雨水取水継手１は、雨水を有効利用するために、竪樋を流下する雨水を途中で外部に取り出すために、雨水が流下する竪樋間に嵌合接続されるものである。円筒状の継手本体２下方の外周には、水平方向外側に向けて雨水取水管３が継手本体２（集水部６）と連通するように設けられている。雨水取水管３の径と長さはホースが接続できるような寸法に設定されている。また、継手本体２の内部には、下部外周が鍔部４を介して継手本体内壁５と連結され、継手本体内壁５との間には、集水部６を形成する短管部７が、上下が開口した状態で継手本体２と同心円状に設置されている。継手本体２の下方側は不図示の竪樋との接続部となっている。
【００２５】
雨水取水管３の下方には、図６に全体外観を示す雨水受け板８が着脱自在に取り付けられるようになっている。雨水受け板８は、断面が半楕円形状に曲成され、その横方向の寸法は雨水取水管３の径より大きく設定されている。雨水受け板８の雨水取水管３より若干下側の部分は、雨水取水管３の水平方向に延びた水平受け板部９となっており、雨水取水管３の出口近傍の部分からは下方に傾斜した傾斜受け板部１０となっている。雨水受け板８の継手本体２側の端部には、受け板止め部１１が下方に向けて形成されるとともに、背面板１２が上向きに且つ上側中央部分で雨水取水管３の下側部分を取り囲むように形成されている。また、雨水受け板８の継手本体２側の長手方向両側部には、カバー１３を取り付けるためのカバー取付部１４が形成されている。
【００２６】
なお、継手本体２、雨水受け板８、カバー１３の材質としては、塩化ビニル樹脂等の樹脂が一般的であるが、特に制限はなく、金属や環境を配慮したポリエチレン系樹脂等も使用することができる。
【００２７】
また、継手本体２の外周において、雨水取水管３の下方には断面Ｌ字状の受け部１５が形成されている。この受け部１５は水平部１６と起立部１７よりなる。受け部１５は、図３に示すように横方向寸法は受け板止め部１１より幅広に形成され、起立部１７の上側部分は雨水受け板８の下面の形状に倣った形状となっており、起立部１７と雨水取水管３の間には、雨水受け板８の水平受け板部９が入り込み、その入り込んだ部分においてゴムや柔らかい合成樹脂などよりなる環状の弾性部材１８の一部が位置するように、弾性部材１８が雨水取水管３の周囲に設けられる。
【００２８】
一方、上述したように、雨水受け板８にはカバー１３が取付可能となっているが、このカバー１３の雨水取水管３より若干上側の部分は、雨水取水管３の水平方向に延びた水平カバー部２０となっており、雨水取水管３の出口近傍の部分からは下方に傾斜した傾斜カバー部２１となっている。また、カバー１３の継手本体２側の端部には、背面板２２が上向きに且つ上側中央部分で雨水取水管３の上側部分を取り囲むように形成されている。
【００２９】
上記のような構造の雨水取水継手１によれば、下記のように２通りの手法での雨水の取水を容易に行うことができる。また、雨水取水継手１と、その上下の竪樋との接続は従来公知の嵌合接続法を用いることができる。
【００３０】
ホースを用いて取水する場合には、雨水受け板８とカバー１３を取り外した状態でホースの先端を雨水取水管３に差し込んで、ホースバンドなどで固定する。弾性部材１８は取り付けたままでもよいし、取り外してもよい。この場合、竪樋を流下してきた雨水は、その量が少ない場合には継手本体内壁５に沿って集水部６に集まり、雨水取水管３よりホースに導かれる。雨水の量が多い場合には、必要量だけ集水部６に集水され、残りは短管部７の開口より下方に流下する。ホースの先端は、たとえば蛇口付きの箱型タンクと接続させ、取り出した雨水を貯めておき、必要なときにその水を使用する。
【００３１】
一方、雨水受け板８を用いて取水する場合には、弾性部材１８を雨水取水管３の適所（起立部１７の上側付近に相当する部分）に取り付け、雨水受け板８の受け板止め部１１が受け部１５に当たらない状態（横方向）から雨水受け板８の下面が受け部１５の上面に沿うように雨水受け板８を回転させて図３のような状態とする。このようにすると、雨水受け板８は弾性部材１８の緩衝作用により水平受け板部９の手前付近の所で適度に押圧された状態となり、受け部１５と受け板止め部１１の嵌合固定が行われる。カバー１３は必要に応じて取り付けることができるが、特に水が飛散するような場合には、取り付けることが好ましい。この場合、竪樋を流下してきた雨水は、その量が少ない場合には継手本体内壁５に沿って集水部６に集まり、雨水取水管３より雨水受け板８に導かれ、さらに雨水受け板８からホースに導かれる。雨水の量が多い場合には、必要量だけ集水部６に集水され、残りは短管部７の開口より下方に流下する。雨水受け板８に導かれた水は、たとえばバケツや壷状のタンクに貯めて、必要に応じて使用することができる。雨水受け板８を取り外すには、上記の反対の操作をすればよい。
【００３２】
上記実施形態の雨水取水継手１によれば、雨水取水管を利用する第１のタイプの取水手法と雨水受け板を利用する第２のタイプの取水手法のいずれの手法にも容易に対応することができる。
【００３３】
以上、本発明を一実施形態に基づいて説明したが、本発明は上記実施形態に限定されるものではなく、種々の変形、変更が可能である。
【００３４】
たとえば、上記実施形態では、雨水受け板８の継手本体２への取付を、弾性部材１８を介在させて受け板止め部１１と受け部１５との嵌合により行ったが、本発明によれば、継手本体２と雨水受け板８にそれぞれ凹部と凸部を有する取付部を設け、凹部と凸部を係合させ、止め具を用いた簡易な固定法を用いてもよく、それ以外の固定法を用いてもよい。
【００３５】
また、上記実施形態では、緩衝作用を担う緩衝部材として、環状の弾性部材１８を用いたが、本発明によれば、シリコンゴム、ＥＰＤＭゴムなどの軟質材料を雨水取水管３の外周全体に被覆してもよい。
【００３６】
また、上記実施形態では、断面が半楕円状の雨水受け板８を用いたが、本発明によれば、断面が円形や多角形などの任意の形状のものを使用することができる。
【００３７】
さらに、上記実施形態では、竪樋として断面が円形のものを用いたが、本発明は、断面が角型の樋にも適用することができる。
【図面の簡単な説明】
【００３８】
【図１】本発明の一実施形態に係る雨水取水継手で雨水受け板を取り付けた状態を示す縦断面図である。
【図２】同上実施形態の雨水取水継手で雨水受け板を外してホース接続方式で取水を行う場合の斜視図である（ホースは不図示）。
【図３】図１のＡ−Ａ線断面図である。
【図４】図１のＢ−Ｂ線断面図である。
【図５】雨水受け板の外観を示す斜視図である。
【図６】カバーの外観を示す斜視図である。
【図７】（ａ）及び（ｂ）は、それぞれ従来の雨水取水継手の構造例を示す縦断面図及び横断面図である。
【図８】（ａ）及び（ｂ）は、それぞれ従来の雨水取水継手の別の構造例を示す分解斜視図及び縦断面図である。
【符号の説明】
【００３９】
１    雨水取水継手
２    継手本体
３    雨水取水管
６    集水部
８    雨水受け板
１１    受け板止め部
１３    カバー
１５    受け部
１８    弾性部材
【図２】
2008156950.tif 000003
【図３】
2008156950.tif 000004
【図４】
2008156950.tif 000005
【図５】
2008156950.tif 000006
【図６】
2008156950.tif 000007
【図７】
2008156950.tif 000008
【図８】
2008156950.tif 000009
【図１】
2008156950.tif 000010